(57)【特許請求の範囲】
【請求項１】
合成繊維又は極薄繊維状金属から成型した、細巾極薄素材を、空隙率２５％内外の通気スリットを設け、網状平織りしたネット数枚を使い、相互間に２センチ内外の中空層を保持し、重ね合せ、通気性・放熱性・遮熱性・耐風性を備えた、マンションバルコニ−他に使う日よけスクリ−ン。
【発明の詳細な説明】
【技術分野】
【０００１】本発明は、太陽熱からマンションバルコニ−の開口部・外壁の温度上昇を防ぐ他、耐風性等備えたもので、産業各部での遮熱スクリ−ンに関する。
【背景技術】
【０００２】従来、太陽熱遮断方法として、開口前面等に、よしず・スダレ・テント・スクリ−ン等、日よけ材を取付、それなりの効果があった。
【発明の開示】
【発明が解決しようとする課題】
【０００３】しかしながら、市販の日よけ材は通気性に劣り、室内への通風を妨げている。
又、西陽等の遮断が出来ても、日よけ材本体に、熱がこもり（畜熱）
やがて製品裏面から熱線（赤外線）が放出され、サッシ・室内・外壁が熱くなり、居住性も悪く、冷房なしでは就寝出来ない現状である。
特に布製日よけテントは通気性もなく、数枚連続取付すると、テント裏面全体が温室状態になり、かえって居住性を悪くしており、少し風が吹いただけで、風圧でテントが動き出し、固定部が外れる事もある。最悪落下事故にも・・・。
又、コンクリ−ト製手すり本体の畜熱量は大で、日没後夜半迄、熱線放出され居住性を悪くしており、手すり内側へのスクリ−ン取付も、不可欠と言えるが、その事を知る居住者は少ない。
（実測では、盛夏の晴天・朝８時半頃、東バルコニ−面は５５度に達する。）
なお、日没後外気温低下と共に、サッシ開放し通風を図ると、室内空気温度も低下するが、先述の外壁畜熱〜再放熱原理で、室内各部より熱線が発生し、体感的に暑く感じる訳で、いかに西陽他を、サッシや外壁全体に当てないようにするか？
・・・が大切。（壁の断熱材にも畜熱中！）
又、よしず・スダレ・テント・スクリ−ンは強い風の日は風圧で大きく揺れ、転倒・飛散・取付部破損等起きており、中〜高層マンションバルコニ−への設置は慎重を要し、設置をためらい、日よけ対策が出来ていない現状である。
特に西向きバルコニ−マンション入居者は、夏の炎熱地獄？に閉口しており、折しも節電・省エネ・電気代上昇の時代、冷房を極力使わない事が望まれているが、冷房なしでは就寝出来ない現実である。
なお、マンション最上階の西向きバルコニ−は最悪で、西陽の他、屋上コンクリ−ト畜熱〜天井再放熱（天井断熱材も畜熱化）がプラスされ、夏の居住性は劣悪と言える。
【問題を解決する為の手段】
【０００４】そして本発明は上記を解決する為、風に強く、遮熱性も高く、中・高層マンションのバルコニ−に、設置可能な日よけスクリ−ンを考案した。このスクリ−ンは合成繊維又は繊維状金属等で製造された平織り既製品で、身近な例として、農業用で、遮光率７５％の日影ネットを２枚使い、ネット間に約２センチの空隙を設け、ネット上下に丸材を取付る。
そしてネット全体に、引張を加えるように、吊金具・ロ−プを界してサッシ上部や、バルコニ−内側に少し離して装着し、日影スクリ−ンに供する。
このスクリ−ンは、ネット間・２センチの空隙により、通気性と熱放散力が、格段向上するものである。
又、先述の平織ネットの断面は微小で、畜熱出来ず、周辺空気に瞬時に放熱する。
風があれば、なおさら・・・。
市販の日よけテント・スクリ−ン類は遮光性能あるが、通気性悪く、風圧飛散リスクも大きく、熱放散も弱く本体に畜熱し易く、裏面から放熱し易い。
本発明は、このネックを解決したもので、遮熱性は大きいが、風の通過抵抗が小さく、熱放散力が大きくなるよう、２枚のネットを使いネット間に、空隙を設ける事を発明した。
ネットは２枚でも３枚でも良く、中空層が多いほど遮熱力は向上する。
試作品は遮光率７５％品２枚を、中空層２センチ設けたもので、ト−タル遮光率は９３．７５％に達し、遮熱力もＵＰする。
（９３．７５％の根拠は次の通り。太陽熱線は１枚目ネットで、２５％通過し、２枚目で又その２５％が抜ける事となり、２５掛２５イコ−ル６．２５％が最終通過分となり、１００−６．２５＝９３．７５％の遮光率となる。）
又、従来のすだれ・ヨシズに比べ、変色見劣り〜ささくれ無く、取外し容易で、シ−ズンオフの保管もコンパクトで、マンションライフに最適と言える。
本件スクリ−ンの上下の丸材（アルミ又は合成樹脂）は抜取式で、スクリ−ンはテント式に比べ、遙かに軽量で圧縮折たたみ出来、戸棚等に収容出来る。
因に、先述の遮光ネットは市販流通品で、茶畑・シイタケ栽培でも、長い使用実績があり、強風にも耐えられるよう、２５〜４０％の空隙があり、強風時、全体が波打つように揺れ、風圧をかわし、飛散する事はなく、使用実績のある安定素材と言える。
【発明の効果】
【０００５】バルコニ−やその背後にある、外壁・サッシに西陽が当るマンション・住宅は夏の熱射影響は大きく、冷房が不可欠となっている。
その原因は太陽エネルギ−が、コンクリ−ト手摺・外壁・開口を通じ室内各部に畜熱する。夜半を過ぎ、外気温が２６〜２８度に下っても、室内が暑く感じるのは、全て各部から放出する熱線（赤外線）が原因で、さしずめオ−ブンの中？に居るようなものである。
冷房を入れても室内各部〜家具等に残る畜熱分の冷却に、電力消費し、各部が冷えた頃やっと涼しく感じ出すものである。
そこで、この発明品をマンションバルコニ−の開口・外壁・手摺背面に設置すると、太陽熱は室内に届く事なく、夏の居住性大幅向上と、冷房電力代も減り節電〜省エネに貢献出来る。
本件製造は、既存技術活用で対応出来、廉価に大量供給出来る。
製品色調は黒の他、モダンマンションに似合う、濃緑・ココアブラウン等も喜ばれる。
【発明を実施するための最良の形態】
【０００６】以下、本発明の実施の形態を図１〜図８に基いて説明する。【０００７】図１は、西陽の当るマンションバルコニ−のサッシ部断面図。
１は西陽。２はコンクリ−ト手摺。３は居室。４はサッシ。【０００８】図２は、同上の外壁部断面図。５は外壁を示す。【０００９】図３は、本件実施後の取付状況。６は日よけスクリ−ン（ネット面）。
７は製品上端丸材と、取付金具。８は製品下端丸材。
８｀はロ−プ等で８を固定する為の、市販のコンクリ−ト重り。
同上取付方法は、図２の外壁前にも摘要し、外壁昇温も止める。【００１０】図４は、同上と異る取付状況。７はサッシ上枠に、製品上端丸材と取付金具（コンクリ−ト埋込）。９は中間丸材と、それを手摺パイプに接続する金具類。
１０は、コンクリ−ト手摺背面と、日よけスクリ−ンの間に設けた、１０センチ内外の通風空間。【００１１】図５は、日よけスクリ−ンを構成する、平織りネット（参考写真−１）の縦断拡大図。
２枚のネットを約２センチ離して、上下端丸材各々に取付け、中間に巾約２センチの通気層、１１を設ける。（通気層の巾は、風速により変化）
太陽１がネットに当る一部は２枚目にも当る。
１２は、ネット内外を上昇通過する外気（風）
１３は、ネット本体内外表面から放出される熱線（熱交換後の放射熱）。【００１２】図６は、図４の中間丸材と、同接続金具及びバルコニ−手摺りパイプ１５固定用ロ−プ類、１４の拡大。通風効果・ネット構成は図５に同じ。【００１３】図７は、図３形態取付時の製品正面図。（完成寸法、約２Ｍ角）
巾１Ｍのネットを、各々２枚並べ、上下に丸材を通したもので、製作方法は巾１Ｍ・長さ４Ｍのネット２枚を、上下の各丸材を包み込むように連続させ、各、継ぎ目を縫い合せ円筒状に加工したもので、２枚のネットの縦継ぎ目・１６は全周、接続しないで、ゆらゆら・・・と、風圧が抜けるようになっている。
バルコニ−天井及び床への固定は、図３の７及び８｀で行う。
オフシ−ズンには、丸棒を２本共抜取り、２枚のネットも折たたみ収納出来る。
なお、取付用の上下のステンレス製Ｓ型金具は、ネット目から丸棒に、引掛け式で、任意の位置（例：上下共、約９０センチ毎に、計６本）にセット出来る。
なお、台風接近等の恐れある時は、早目に、図の７の金具を外し、足下にネットを束ね、８｀の重りで押えておくと万全。【００１４】図８は、ネットを３枚使用し、空気層を２層設けた、高性能タイプ製品の上端拡大図。
１７の枠は合成樹脂他で製作された、スクリ−ン上端材。
スクリ−ンは、巾１〜１．５Ｍ  高さ２Ｍ其他各種あり、巻込み収納出来る。
尚、高級品はステンレス箔繊維平織りネットを使う。（耐久性抜群）【００１５】以下、上記構成の性能を説明する。
平織りメッシュ等で製造された、遮光ネット（遮光率７５％品）図５の６に当った太陽熱線１は、ネットの表と裏で同時に、周辺外気と素早く熱交換される。
（ネット素材が、あまりの薄さの為である。）
日射側の１枚目ネットの空隙から、漏れた太陽熱線の一部は、２枚目ネットに当り、先述作用を起す。１〜２枚間の空気層は、ネット加温により、上昇気流１２が起り、風も加わり排熱（熱交換）が盛んに行われ、中空層やネットに畜熱しない。
又、ネット継ぎ目（図７の１６）も風で、ゆらゆら開き、排熱を助ける。
よって室内側ネット面からの熱線は皆無となり、外壁〜室内は熱くならない。
特に、図８のネット３枚式は、格段高性能である。
次に、強風時の性能について。まず、１枚目ネット全体がヒラヒラと波動し、風を受流し、ネット目から抜けた一部の風は、２枚目やスキマ１６に達し、２枚目も共に波動し、風圧をかわし（減圧）結果、上下金具に負担かけず、本体飛散しない。
市販のテント日よけ等は通気性少なく、１００％風圧を受け、バタバタあおられ、金具故障〜飛散事故が多い。
中・高層マンションバルコニ−のような、風が強い場所での使用は危険と言え、テント等普及しない現状であり、本件の発売〜普及が急がれる。
かくして、本件は遮光率９３．７５％（ネット２枚時）と優れ、耐風性も備え裏面放熱も無く、高性能日よけと言える。
よしず・すだれ等の、ささくれ〜変色〜破損もなく長期間使え、テントのように雨水たるみ下りもなく、軽量で空気層が多く乾燥も早い。
夏の午後３時頃、西向きマンションバルコニ−での装着実験（図３方式）の結果、本件の有無で、外壁表面（図２の５）２３度差を確認している。
又、同上外壁の高温化原因は、直射の他、手摺りコンクリ−ト裏面からの放熱も大きく、それも止める通気層がある、図３・図４方式が最良である。
次に、本件取付後、室内からの昼の眺望は、テント等に比べ圧迫感はなく、一方、隣棟や道路からの視線カットは完全である。
又、室内への自然通風性能は、すだれ〜市販スクリ−ン等を超越する。
従来、各種日よけを取付け出来なかった、中・高層マンション入居者にとって、本件は待ち望まれていた新製品で、やがて夏期の必需品となり、その豊富なモダン色調は、全国の格調高いマンション外観に、アクセントを与えるもので、本件普及に合わせ入居者が、楽に着脱・収容出来るよう、新築物件のバルコニ−天井に、取付金具を標準装備願うものである。
最後に、本件製品が全国の熱射対策を必要とするマンションの、多くに装着されると、夏の居住性向上と共に、冷房電力の大幅削減が計れ、その節電総量は計り知れないものがあり、省エネ国策に大いに貢献する画期的発明と言える。
【図面の簡単な説明】
【００１６】
【図１】マンションバルコニ−のサッシ部断面図
【図２】同上の外壁部断面図
【図３】同上天井部、本件取付例断面図
【図４】同上、サッシ上部取付例断面図
【図５】本件を構成する復層平織りネット縦断拡大図
【図６】同上、中間手摺り取付部、縦断拡大図
【図７】本件製品正面図
【図８】２つの空気層を持つ製品の、上端拡大図
【符合の説明】
【００１７】  １  西陽等太陽光
２  コンクリ−ト手摺り
３  居室
４  サッシ
５  外壁
６  スクリ−ン
７  上端金具他
８  下端金具他
８｀コンクリ−ト重り
９  中間丸材
１０  手摺り背面空間
１１  ネット間中空層
１２  外気の流れ
１３  放出熱線
１４  固定ロ−プ類
１５  手摺りパイプ
１６  ネット縦継ぎ目
１７  復層型上端部材
【要約】
【課題】従来、西陽の当るマンションバルコニ−の、日よけとしてスクリ−ン・すだれ・ヨシズ等あるが、強風に弱く、中・高層階では、落下事故を恐れ設置出来ず、止むなく冷房で夏をしのいでいた。
【解決手段】図５の形態を持つ、日よけスクリ−ンをマンションバルコニ−の外壁・サッシ前面に設け、太陽熱を遮断する。
通気と遮熱性を持つ複数のネットが、中空層を持ち強風を逃し、取付金具に負担なく落下せず、安心して設置出来、眺望の妨げなく、室内は快適で冷房使用も減り、省エネに貢献出来る。
【選択図】図５【図１】
0005527738.tif 000002
【図２】
0005527738.tif 000003
【図３】
0005527738.tif 000004
【図４】
0005527738.tif 000005
【図５】
0005527738.tif 000006
【図６】
0005527738.tif 000007
【図７】
0005527738.tif 000008
【図８】
0005527738.tif 000009